(57)【要約】      （修正有）【課題】洗浄剤容積計量付き洗浄用水バケツを提供する。【解決手段】バケツ本体１を含み、バケツ本体の内部の底面に、洗浄剤収容部４が設けられ、バケツ本体の上側にバケツ蓋２が設置され、バケツ本体の底部に補強リブが設置され、バケツ本体の内壁に水容積目盛り線が設置される。洗浄用水バケツの底部に、容積計量機能を有する洗浄剤収容部を増設したので、使用する時に洗浄剤収容部によって洗浄剤の使用量を確定することができ、清掃作業の利便性を向上させ、大人の清掃作業の効率を向上させるとともに、洗浄剤の使用量を正確に測定することにより、注入過多による浪費を防止し、環境保護に貢献する。また、様々な形状の洗浄剤収容部は、子供に対して魅力的なものであり、彼らが使用するように誘導でき、子供に対する知育にも有益である。【選択図】図２
0003232814.tif 000002
【実用新案登録請求の範囲】
【請求項１】
上側にバケツ蓋（２）が設置され、内部の底面に洗浄剤収容部（４）が設置されているバケツ本体（１）を有することを特徴とする、洗浄剤容積計量付き洗浄用水バケツ。
【請求項２】
前記洗浄剤収容部（４）の容積が、５ｍｌ、１０ｍｌ、２０ｍｌ又は４０ｍｌであることを特徴とする、請求項１に記載の洗浄剤容積計量付き洗浄用水バケツ。
【請求項３】
前記洗浄剤収容部（４）が、少なくとも２個設置されることを特徴とする、請求項２に記載の洗浄剤容積計量付き洗浄用水バケツ。
【請求項４】
前記洗浄剤収容部（４）の形状が、幾何学的形状の収容部又は曲線形状の収容部であることを特徴とする、請求項１に記載の洗浄剤容積計量付き洗浄用水バケツ。
【請求項５】
前記曲線形状が、装飾的形状の動物、植物、アルファベット、単語又は人物を含むことを特徴とする、請求項４に記載の洗浄剤容積計量付き洗浄用水バケツ。
【請求項６】
前記幾何学的形状が、長方形、正方形、円形又は菱形であることを特徴とする、請求項４に記載の洗浄剤容積計量付き洗浄用水バケツ。
【請求項７】
前記バケツ蓋（２）の長さ方向の縁部に、スロット（７）が設置されていることを特徴とする、請求項１に記載の洗浄剤容積計量付き洗浄用水バケツ。
【請求項８】
前記バケツ本体（１）の内壁に、水容積目盛り線（５）が設置されていることを特徴とする、請求項１に記載の洗浄剤容積計量付き洗浄用水バケツ。
【請求項９】
前記バケツ本体（１）の底部に、補強リブ（６）が設置されていることを特徴とする、請求項１に記載の洗浄剤容積計量付き洗浄用水バケツ。
【請求項１０】
前記バケツ本体（１）に、取っ手（３）が設置され、前記取っ手（３）の両端が回動可能に前記バケツ本体（１）に接続されることを特徴とする、請求項１に記載の洗浄剤容積計量付き洗浄用水バケツ。
【考案の詳細な説明】
【技術分野】
【０００１】
本考案は、日用品分野に属し、具体的には洗浄剤容積計量付き洗浄用水バケツに関する。
【背景技術】
【０００２】
洗浄用水バケツは、日常生活においてよく使われる清掃用品であり、清掃作業を行う時に、殆どの場合洗浄剤を使用するので、事前に特定の体積の洗浄剤を注入する必要がある。従来の洗浄用バケツでは、使用する時に注入する洗浄剤の容量を計測器具で測定する必要があり、即ち、洗浄剤を洗浄用水バケツに注入する前に測定する必要があるので、非常に不便である。洗浄剤を直接に水バケツに注入すると、注入量を把握することができず、注入量が少なすぎると、洗浄効果が得られず、注入量が多すぎると、浪費や環境汚染が発生しやすくなる。
【考案の概要】
【考案が解決しようとする課題】
【０００３】
上記のような従来技術の問題点を解決するために、本考案は、洗浄剤容積計量付き洗浄用水バケツを提供する。具体的な技術案は下記の通りである。
【課題を解決するための手段】
【０００４】
洗浄剤容積計量付き洗浄用水バケツであって、バケツ本体を含み、前記バケツ本体の上側にバケツ蓋が設置され、前記バケツ本体内部の底面に洗浄剤収容部が設置されている。
【０００５】
好ましくは、前記洗浄剤収容部の容積が５ｍｌ、１０ｍｌ、２０ｍｌ又は４０ｍｌである。
【０００６】
好ましくは、前記洗浄剤収容部は、少なくとも２個ある。
【０００７】
好ましくは、前記洗浄剤収容部の形状が、幾何学的形状の収容部（浮き上がり部）又は曲線形状の収容部（浮き上がり部）である。
【０００８】
好ましくは、前記曲線形状が、装飾的形状の動物、植物、アルファベット、単語又は人物を含む。
【０００９】
好ましくは、前記幾何学的形状は、長方形、正方形、円形又は菱形である。
【００１０】
好ましくは、前記バケツ蓋の長さ方向の縁部に、スロットが設置されている。
【００１１】
好ましくは、前記バケツ本体の内壁に、水容積目盛り線が設置されている。
【００１２】
好ましくは、前記バケツ本体の底部に、補強リブが設置されている。
【００１３】
好ましくは、前記バケツ本体に、取っ手が設置され、前記取っ手の両端が回動可能に前記バケツ本体に接続される。
【考案の効果】
【００１４】
本考案は、洗浄用水バケツの底部に、容積計量機能を有する洗浄剤収容部を増設したので、使用する時に洗浄剤収容部によって洗浄剤の使用量を確定することができ、清掃作業の利便性を向上させ、大人の清掃作業の効率を向上させるとともに、洗浄剤の使用量を正確に測定することにより、注入過多による浪費を防止し、環境保護に貢献する。また、様々な形状の洗浄剤収容部は、子供に対して魅力的なものであり、彼らが使用するように誘導でき、子供に対する知育にも有益である。
【図面の簡単な説明】
【００１５】
【図１】本考案の構成模式図である。
【図２】本考案の上面模式図である。
【図３】本考案の構成模式図である。
【図４】バケツ蓋の構成模式図である。
【図５】取っ手の構成模式図である。
【考案を実施するための形態】
【００１６】
次に、添付図面を参照しながら本考案を更に説明する。
図１〜図５に示すように、本考案における洗浄剤容積計量付き洗浄用水バケツは、バケツ本体１を含み、前記バケツ本体１内部の底面に複数の洗浄剤収容部４が設置され、前記洗浄剤収容部４がそれぞれ異なる容積を有し、一般的には５ｍｌ、１０ｍｌ、２０ｍｌ又は４０ｍｌの容積を有する。前記洗浄剤収容部４は、少なくとも２個あり、４個ある場合、組み合わせ容積が５ｍｌ〜８０ｍｌの範囲で５ｍｌずつ累進する。前記洗浄剤収容部４の形状は、幾何学的形状（長方形、正方形、円形又は菱形など）又は装飾的形状を有する動物、植物、アルファベット、単語、人物の形状又は他の実物等でもよい。図２に示すように、前記洗浄剤収容部４の形状は、魚形状である。
【００１７】
前記バケツ本体１の上側にバケツ蓋２が設置され、前記バケツ蓋２の長さ方向の縁部にスロットが設置されているので、前記バケツ蓋２を開く時に、前記バケツ本体１の開口縁部に挿入することが便利になる。前記バケツ本体１の外側に取っ手３が設置され、前記取っ手３の両端が回動可能に前記バケツ本体１に接続され、前記取っ手３によって洗浄用水バケツを便利に持ち上げることができる。前記バケツ本体１の底部に補強リブ６を設置することにより、前記バケツ本体１の底部強度が増加され、より大きな水重量に耐えられる。前記バケツ本体１の内壁に水容積目盛り線５を設置することにより、前記バケツ本体１の水の体積を視認することが便利になる。
【００１８】
前記バケツ本体１を使用する時に、必要に応じて対応する容量の前記洗浄剤収容部４に洗浄剤を注入した後、前記バケツ本体１内に水を注入して軽く撹拌することにより混合させるようにして、清掃に用いられる。
【符号の説明】
【００１９】
１  バケツ本体
２  バケツ蓋
３  取っ手
４  洗浄剤収容部
５  水容積目盛り線
６  補強リブ
７  スロット
【図１】
0003232814.tif 000003
【図２】
0003232814.tif 000004
【図３】
0003232814.tif 000005
【図４】
0003232814.tif 000006
【図５】
0003232814.tif 000007